(57)【特許請求の範囲】
【請求項１】
円又は楕円等の輪状のブラシ毛を作り、ブラシ毛の輪状の面がブラシ軸の長手方向に対して０°から９０°になるようにして、ブラシ毛をブラシ軸に埋め込んだ、以上のことを特徴とするマスカラ等のブラシ。
【請求項２】
円又は楕円等の輪状の第一のブラシ毛を作り、第一のブラシ毛の輪状の面がブラシ軸の長手方向に対して０°から９０°になるようにして、第一のブラシ毛をブラシ軸に埋め込み、第一のブラシ毛の内側に円又は楕円等の輪状の第二のブラシ毛を作り、第一のブラシ毛をブラシ軸に埋め込んだ内側に第二のブラシ毛をブラシ軸に埋め込み、且つ第二のブラシ毛の輪状の面がブラシ軸の長手方向に対して０°から９０°になるようにして、第二のブラシ毛をブラシ軸に埋め込んだ、以上のことを特徴とするマスカラ等のブラシ。
【請求項３】
円又は楕円等の輪状のブラシ毛を作り、ブラシ毛の輪状の面がブラシ軸の長手方向に対して０°から９０°になるようにして、ブラシ毛をブラシ軸に埋め込み、複数の真っ直ぐなブラシ毛をブラシ軸に埋め込んだ、以上のことを特徴とするマスカラ等のブラシ。
【請求項４】
円又は楕円等の輪状の第一のブラシ毛を作り、第一のブラシ毛の輪状の面がブラシ軸の長手方向に対して０°から９０°になるようにして、第一のブラシ毛をブラシ軸に埋め込み、第一のブラシ毛の内側に円又は楕円等の輪状の第二のブラシ毛を作り、第一のブラシ毛をブラシ軸に埋め込んだ内側に第二のブラシ毛をブラシ軸に埋め込み、且つ第二のブラシ毛の輪状の面がブラシ軸の長手方向に対して０°から９０°になるようにして、第二のブラシ毛をブラシ軸に埋め込み、複数の真っ直ぐなブラシ毛をブラシ軸に埋め込んだ、以上のことを特徴とするマスカラ等のブラシ。
【発明の詳細な説明】
【技術分野】
【０００１】  本発明は化粧品のマスカラ等のブラシに関する技術分野。
【背景技術】
【０００２】  従来のマスカラブラシにおいて、ブラシ毛にマスカラ墨を多く付着させる方法として、マスカラ毛を凹凸に加工する（例えば、特許文献１参照。）がある。
【特許文献１】  特開２００２−１２９４７７号公報
【発明の開示】
【発明が解決しようとする課題】
【０００３】  マスカラブラシにおいて、ブラシ毛に付着するマスカラ墨の量を多くして、睫に多くのマスカラ墨を優しく撫でるように塗布して、手早く、簡単に、奇麗にマスカラ墨を睫に塗布できるようにする。【０００４】  マスカラブラシのブラシ毛において、直線のブラシ毛では、ブラシ毛の先端が外側に存在するので、ブラシ毛の外側先端が角張って、ブラシ毛を睫に柔らかく撫でる事が出来ない。ブラシ毛に付着するマスカラ墨の量を多くするため、直線のブラシ毛の本数を多くすると、更に、ブラシの先端が角張ってしまい、ブラシ毛を睫に柔らかく撫でる事が出来ない。【０００５】  特開２００２−１２９４７７号公報のブラシ毛では、ブラシ毛にマスカラ墨を付着させるのは簡単であるが、ブラシ毛に付着させたマスカラ墨を剥離し、そのマスカラ墨を睫に付着させるのは大変に困難である。
【課題を解決するための手段】
【０００６】  マスカラのブラシ毛において、ブラシ毛を円又は楕円等の輪状に作り、ブラシ毛の円又は楕円等の輪状は２次元の平面曲線または３次元の空間曲線であり、ブラシ毛の平面曲線または空間曲線の輪状の面がブラシ軸の長手方向に対して０°から９０°になるようにして、ブラシ毛をブラシ軸に埋め込む。
【発明の効果】
【０００７】  円又は楕円等の輪状のブラシ毛に膜状になって大量のマスカラ墨が付着するので、大量のマスカラ墨をブラシ毛に塗布することができ、睫がブラシ毛に付着したマスカラ墨の膜を破るので簡単に大量のマスカラ墨を睫に塗布することができる。ブラシ毛をブラシ軸を中心に回転したときに、ブラシ毛が円又は楕円等の輪状なので、ブラシ毛の先端の角で睫を強く擦る事がなく、円又は楕円等の輪状のブラシ毛で睫を優しく柔らかく撫で、大量のマスカラ墨を睫に塗ることができ、手早く、簡単に、奇麗にマスカラ墨を睫に塗布できる。
【発明の実施するための最良の形態】
【０００８】  発明の実施するための最良の形態を実施例にもとづき図面を参照して説明する。
図１において、円等の輪状のブラシ毛Ａを作り、ブラシ毛Ａの輪状の面がブラシ軸Ｐの長手方向に対して０°から９０°になるようにして、ブラシ毛Ａをブラシ軸Ｐに埋め込んだ、以上のことを特徴とするマスカラ等のブラシである。
【０００９】  図２において、円等の輪状のブラシ毛Ｂを作り、ブラシ毛Ｂの表面に深さが一定または深さが一定でない螺旋状の極小の溝を彫り、ブラシ毛Ｂの輪状の面がブラシ軸Ｐの長手方向に対して０°から９０°になるようにして、ブラシ毛Ｂをブラシ軸Ｐに埋め込んだ、以上のことを特徴とするマスカラ等のブラシである。
【００１０】  図３において、楕円等の輪状のブラシ毛Ｃを作り、ブラシ毛Ｃの輪状の面がブラシ軸Ｐの長手方向に対して０°から９０°になるようにして、ブラシ毛Ｃをブラシ軸Ｐに埋め込んだ、以上のことを特徴とするマスカラ等のブラシである。
【００１１】  図４において、円又は楕円等の輪状の第一のブラシ毛Ｄを作り、第一のブラシ毛Ｄの輪状の面がブラシ軸Ｐの長手方向に対して０°から９０°になるようにして、第一のブラシ毛Ｄをブラシ軸Ｐに埋め込み、第一のブラシ毛Ｄの内側に円又は楕円等の輪状の第二のブラシ毛Ｅを作り、第一のブラシ毛Ｄをブラシ軸Ｐに埋め込んだ内側に第二のブラシ毛Ｅをブラシ軸Ｐに埋め込み、且つ第二のブラシ毛Ｅの輪状の面がブラシ軸Ｐの長手方向に対して０°から９０°になるようにして、第二のブラシ毛Ｅをブラシ軸Ｐに埋め込んだ、以上のことを特徴とするマスカラ等のブラシである。
【００１２】  図５において、円又は楕円等の輪状のブラシ毛Ｆを作り、輪状のブラシ毛Ｆの一部を変形し、ブラシ毛Ｆの輪状の面がブラシ軸Ｐの長手方向に対して０°から９０°になるようにして、ブラシ毛Ｆをブラシ軸Ｐに埋め込んだ、以上のことを特徴とするマスカラ等のブラシである。
【００１３】  図６において、円又は楕円等の輪状のブラシ毛Ｆを作り、ブラシ毛Ｇの輪状の面がブラシ軸Ｐの長手方向に対して０°から９０°になるようにして、ブラシ毛Ｆをブラシ軸Ｐに埋め込み、複数の真っ直ぐなブラシ毛Ｇをブラシ軸Ｐに埋め込んだ、以上のことを特徴とするマスカラ等のブラシである。
【００１４】  図７において、円又は楕円等の輪状の第一のブラシ毛Ｄを作り、第一のブラシ毛Ｄの輪状の面がブラシ軸Ｐの長手方向に対して０°から９０°になるようにして、第一のブラシ毛Ｄをブラシ軸Ｐに埋め込み、第一のブラシ毛Ｄの内側に円又は楕円等の輪状の第二のブラシ毛Ｅを作り、第一のブラシ毛Ｄをブラシ軸Ｐに埋め込んだ内側に第二のブラシ毛Ｅをブラシ軸Ｐに埋め込み、且つ第二のブラシ毛Ｅの輪状の面がブラシ軸Ｐの長手方向に対して０°から９０°になるようにして、第二のブラシ毛Ｅをブラシ軸Ｐに埋め込み、複数の真っ直ぐなブラシ毛Ｈをブラシ軸Ｐに埋め込んだ、以上のことを特徴とするマスカラ等のブラシである。
【実施例１】
【００１５】  発明の実施例を図面参照して説明する。
図１において、平面曲線の円の輪状のブラシ毛Ａを作り、ナイロンでブラシ毛Ａを作り、プラスチックでブラシ軸Ｐを作り、ブラシ毛Ａの平面曲線の面がブラシ軸Ｐの長手方向に対して９０°になるようにして、ブラシ毛Ａをブラシ軸Ｐに埋め込んだ、以上のことを特徴とするマスカラ等のブラシである。
【実施例２】
【００１６】  図２において、ポリアミド系の合成高分子化合物でブラシ毛Ｂを作り、空間曲線の円の輪状のブラシ毛Ｂを作り、合成樹脂でブラシ軸Ｐを作り、ブラシ毛Ｂの空間曲線の面がブラシ軸Ｐの長手方向に対して直角にして（ブラシ毛Ｂの空間曲線の面がブラシ軸Ｐの長手方向に対して９０°になるようにして）、ブラシ毛Ｂをブラシ軸Ｐに埋め込んだ、以上のことを特徴とするマスカラ等のブラシである。
【実施例３】
【００１７】  図３において、平面曲線の楕円の輪状のブラシ毛Ｃを作り、獣毛でブラシ毛Ｃを作り、高分子化合物でブラシ軸Ｐを作り、ブラシ毛Ｃの平面曲線の面がブラシ軸Ｐの長手方向に対して４５°になるようにして、ブラシ毛Ｃをブラシ軸Ｐに埋め込んだ、以上のことを特微とするマスカラ等のブラシである。
【実施例４】
【００１８】  図４において、平面曲線の円又は楕円等の輪状の第一のブラシ毛Ｄを作り、第一のブラシ毛Ｄの内側に平面曲線の円又は楕円等の輪状の第二のブラシ毛Ｅを作り、合成ゴムで第一のブラシ毛Ｄおよび第二のブラシ毛Ｅを作り、第一のブラシ毛Ｄと第二のブラシ毛Ｅとを同一平面に組み合わせ、金属でブラシ軸Ｐを作り、第一のブラシ毛Ｄと第二のブラシ毛Ｅとの平面曲線の面がブラシ軸Ｐの長手方向に対して３０°なるようにして、第一のブラシ毛Ｄと第二のブラシ毛Ｅとをブラシ軸Ｐに埋め込んだ、以上のことを特徴とするマスカラ等のブラシである。
【実施例５】
【００１９】  図５において、空間曲線の円又は楕円等の輪状のブラシ毛Ｆを作り、ナイロンでブラシ毛Ｆを作り、金属でブラシ軸Ｐを作り、輪状のブラシ毛Ｆの一部を変形して、ブラシ毛Ｆの空間曲線の面がブラシ軸Ｐの長手方向に対して６０°になるようにして、ブラシ毛Ｆをブラシ軸Ｐに埋め込んだ、以上のことを特徴とするマスカラ等のブラシである。
【実施例６】
【００２０】  図６において、平面曲線の円又は楕円等の輪状のブラシ毛Ｆを作り、ナイロンでブラシ毛Ｆを作り、プラスチックでブラシ軸Ｐを作り、輪状のブラシ毛Ｆの一部を変形して、ブラシ毛Ｆの平面曲線の面がブラシ軸Ｐの長手方向に対して８０°になるようにして、ブラシ毛Ｆをブラシ軸Ｐに埋め込み、ナイロンで真っ直ぐなブラシ毛Ｇを作り、複数の真っ直ぐなブラシ毛Ｇをブラシ軸Ｐに埋め込んだ、以上のことを特徴とするマスカラ等のブラシである。
【実施例７】
【００２１】  図７において、平面曲線の円又は楕円等の輪状の第一のブラシ毛Ｄを作り、第一のブラシ毛Ｄの内側に平面曲線の円又は楕円等の輪状の第二のブラシ毛Ｅを作り、弾力のある金属線で第一のブラシ毛Ｄおよび第二のブラシ毛Ｅを作り、第一のブラシ毛Ｄと第二のブラシ毛Ｅとを同一平面に組み合わせ、第一のブラシ毛Ｄと第二のブラシ毛Ｅとの平面曲線の面がブラシ軸Ｐの長手方向に対して７５°になるようにして、第一のブラシ毛Ｄと第二のブラシ毛Ｅとをブラシ軸Ｐに埋め込み、弾力のある金属線で真っ直ぐなブラシ毛Ｈを作り、複数の真っ直ぐなブラシ毛Ｈをブラシ軸Ｐに埋め込んだ、以上のことを特徴とするマスカラ等のブラシである。
【産業上の利用可能性】
【００２２】  発売当初はマスカラの総売上の１％を販売できるものと考え、発売から１０年後にはマスカラの総売上の１０％と考えられる。総務省統計局の推計人口は平成１５年３月１日概算値において、２０歳から５９歳までの女性が３，４８５万人である。３，４８５万人のうち少なくみても約４０％の人がマスカラを睫に塗り利用すると推定できる。よって、マスカラを睫に塗り利用する女性の数は少なくみても推定１，３９４万人である。発売当初はマスカラの総売上の１％を販売できるものと考え、マスカラが１本１，８００円で販売すると、マスカラを睫に塗り利用する女性の数、推定１，３９４万人のうちの１％の女性が１年間に１本購入すると、発売当初の年間売上が約２億５，０００万円と推定でき、発売から１０年後には年間売上が約２５億円と推定できる。
【図面の簡単な説明】
【００２３】
【図１】実施例のマスカラ等のブラシの図。
【図２】実施例のマスカラ等のブラシの図。
【図３】実施例のマスカラ等のブラシの図。
【図４】実施例のマスカラ等のブラシの図。
【図５】実施例のマスカラ等のブラシの図。
【図６】実施例のマスカラ等のブラシの図。
【図７】実施例のマスカラ等のブラシの図。
【符号の説明】
【００２４】Ａ，Ｂ，Ｃ，Ｄ，Ｅ，Ｆ：輪状のブラシ毛。
Ｇ，Ｈ：真っ直ぐなのブラシ毛。
Ｐ：マスカラのブラシ軸。
【要約】      （修正有）【課題】    マスカラブラシにおいて、ブラシ毛に付着するマスカラ墨の量を多くして、睫に多くのマスカラ墨を優しく撫でるように塗布して、手早く、簡単に、奇麗にマスカラ墨を睫に塗布できるようにする。【解決手段】マスカラのブラシ毛において、ブラシ毛を円又は楕円等の輪状に作り、ブラシ毛の円又は楕円等の輪状は２次元の平面曲線または３次元の空間曲線であり、ブラシ毛の平面曲線または空間曲線の輪状の面がブラシ軸の長手方向に対して０°から９０°になるようにして、ブラシ毛をブラシ軸に埋め込む。【選択図】  図４【図１】
0003574828.tif 000002
【図２】
0003574828.tif 000003
【図３】
0003574828.tif 000004
【図４】
0003574828.tif 000005
【図５】
0003574828.tif 000006
【図６】
0003574828.tif 000007
【図７】
0003574828.tif 000008